(57)【要約】【課題】携帯型通信端末機において、カメラによる撮影画像の品質を向上させる。【解決手段】本発明に係る携帯型通信端末機においては、ケースの表面に、着信報知ＬＥＤ３１を覆う着信報知窓部５１と、ＣＣＤカメラ３２を覆う撮影窓部５２と、ディスプレイ３３を覆う画像表示窓部５３とが設けられている。ケース４は、着信報知ＬＥＤ３１、ＣＣＤカメラ３２及びディスプレイ３３を覆って設置された化粧パネル５を具えている。化粧パネル５は光透過性パネル本体５０を具え、該光透過性パネル本体５０の両面に、着信報知窓部５１、撮影窓部５２及び画像表示窓部５３を除く領域に拡がる遮光膜７、８が形成されている。又、光透過性パネル本体５０と背面遮光膜７との間に、着信報知窓部５１、撮影窓部５２及び画像表示窓部５３を除く領域に拡がる光反射防止膜６が形成されている。【選択図】　　　図９
2004129081.tif 000002
【特許請求の範囲】
【請求項１】
ケースの内部に、画像撮影用のカメラと、該カメラによる画像撮影時に発光することとなる少なくとも１つの発光デバイスとが配備されると共に、前記ケースの表面には、前記カメラ及び発光デバイスをそれぞれ覆う複数の光透過性窓部が設けられ、前記ケースは、前記発光デバイス及びカメラを覆って設置された化粧パネルを具え、該化粧パネルは光透過性パネル本体を有して、該光透過性パネル本体の少なくとも片側に、前記複数の窓部を除く領域に拡がる遮光膜が形成されている携帯型通信端末機において、前記化粧パネルには、光透過性パネル本体の少なくとも片面に密着して、前記複数の窓部を除く領域に拡がる光反射防止膜が形成されていることを特徴とする携帯型通信端末機。
【請求項２】
前記発光デバイスは、着信及び／又は撮影を報知するための発光素子である請求項１に記載の携帯型通信端末機。
【請求項３】
前記発光デバイスは、画像表示用のディスプレイである請求項１に記載の携帯型通信端末機。
【請求項４】
前記発光デバイスは、画像撮影時に発光するフラッシュである請求項１に記載の携帯型通信端末機。
【請求項５】
化粧パネルの光透過性パネル本体の背面に、前記光反射防止膜が形成されている請求項１乃至請求項４の何れかに記載の携帯型通信端末機。
【請求項６】
前記光反射防止膜は、黒色又は灰色の塗料を用いた印刷によって形成されている請求項１乃至請求項５の何れかに記載の携帯型通信端末機。
【発明の詳細な説明】
【０００１】
【発明の属する技術分野】
本発明は、携帯電話機の如く、画像撮影用のカメラを内蔵した携帯型通信端末機に関するものである。
【０００２】
【従来の技術】
従来、画像撮影用のカメラを内蔵した携帯型通信端末機が知られている（例えば特許文献１参照）。
例えば折り畳み式携帯電話機においては、図２に示す如く、本体（１）と蓋体（２）がヒンジ機構（１０）によって互いに開閉可能に連結されており、本体（１）の内面には、複数の操作キー（１１）が配備されると共に、送話部（１２）が設けられている。又、蓋体（２）の内面には、メインディスプレイ（２１）が設置されると共に、受話部（２２）が設けられている。
【０００３】
蓋体（２）には、図１０に示す如く、着信時に発光する着信報知ＬＥＤ（３１）と、画像撮影用のＣＣＤカメラ（３２）と、画像表示用のサブディスプレイ（３３）とが内蔵され、これらの光学部材を覆って化粧パネル（９）が設置されている。
化粧パネル（９）は、透明パネル本体（９０）の両面に遮光膜（７０）（８０）を印刷してなり、該遮光膜（７０）（８０）の一部を開口せしめることによって、着信報知ＬＥＤ（３１）からの光を前方へ放射せしめる着信報知窓部（９１）と、前方からの映像光をＣＣＤカメラ（３２）に取り込む撮影窓部（９２）と、サブディスプレイ（３３）の映像光を表示する画像表示窓部（９３）とが形成されている。
【０００４】
【特許文献１】
特開平６−２９２１９５号公報
【０００５】
【発明が解決しようとする課題】
しかしながら、図１０に示す如く、着信報知ＬＥＤ（３１）、ＣＣＤカメラ（３２）及びサブディスプレイ（３３）を同一平面上に配備した従来の携帯電話機においては、図中に矢印で示す様に、着信報知ＬＥＤ（３１）やサブディスプレイ（３３）から出射された光線が、前面遮光膜（８０）と背面遮光膜（７０）にて反射された後、ＣＣＤカメラ（３２）へ入射することとなって、ＣＣＤカメラ（３２）による撮影画像に悪影響を及ぼす問題があった。
【０００６】
そこで本発明の目的は、画像撮影用カメラと、着信報知用発光素子や画像表示用ディスプレイ等の各種発光デバイスとを具えた携帯型通信端末機において、発光デバイスからカメラへ導かれる光を抑制して、撮影画像の品質の向上を図ることである。
【０００７】
【課題を解決する為の手段】
本発明に係る携帯型通信端末機においては、ケースの内部に、画像撮影用のカメラと、該カメラによる画像撮影時に発光することとなる少なくとも１つの発光デバイスとが配備されると共に、前記ケースの表面には、前記カメラ及び発光デバイスをそれぞれ覆う複数の光透過性窓部が設けられている。
前記ケースは、前記発光デバイス及びカメラを覆って設置された化粧パネルを具えている。該化粧パネルは光透過性パネル本体を有して、該光透過性パネル本体の少なくとも片側に、前記複数の窓部を除く領域に拡がる遮光膜が形成されている。
又、前記化粧パネルには、光透過性パネル本体の少なくとも片面に密着して、前記複数の窓部を除く領域に拡がる光反射防止膜が形成されている。
具体的構成において、前記発光デバイスは、着信報知用の発光素子及び／又は画像表示用のディスプレイである。又、光反射防止膜は、例えば黒色又は灰色の塗料を用いた印刷によって形成することが出来る。
【０００８】
上記本発明の携帯型通信端末機においては、発光デバイスから出射された光線が遮光膜にて反射された後、カメラへ向かって進んだとしても、その過程で大部分の光線が光反射防止膜へ入射して、光反射防止膜での反射が防止される。この結果、カメラへ入射する光の量は大幅に減少することになる。
【０００９】
具体的構成においては、化粧パネルの光透過性パネル本体の背面に、前記光反射防止膜が介在している。
該具体的構成によれば、光反射防止膜の材質や製法に拘わらず、前面側の遮光膜に自由な着色を施すことが出来る。
【００１０】
【発明の効果】
本発明に係る携帯型通信端末機によれば、発光デバイスからカメラへ入射する光の量が大幅に減少するので、高い画質の撮影画像を得ることが出来る。
【００１１】
【発明の実施の形態】
以下、本発明を折り畳み式携帯電話機に実施した形態につき、図面に沿って具体的に説明する。
本発明に係る折り畳み式携帯電話機は、図１及び図２に示す如く、本体（１）と蓋体（２）をヒンジ機構（１０）によって互いに開閉可能に連結して構成される。本体（１）の内面には、複数の操作キー（１１）が配備されると共に、送話部（１２）が設けられている。又、蓋体（２）の内面には、メインディスプレイ（２１）が設置される共に、受話部（２２）が設けられている。
【００１２】
蓋体（２）は、図３及び図４に示す如く、下半ケース（３）と上半ケース（４）を具え、下半ケース（３）上には、着信時に発光する着信報知ＬＥＤ（３１）と、画像撮影用のＣＣＤカメラ（３２）と、画像表示用のサブディスプレイ（３３）とが、下半ケース（３）の中心線上に並べて配備されている。又、上半ケース（４）には、着信報知ＬＥＤ（３１）、ＣＣＤカメラ（３２）及びサブディスプレイ（３３）を露出させるための３つの開口（４１）（４２）（４３）が形成され、これら３つの開口（４１）（４２）（４３）を覆って、化粧パネル（５）が設置されている。
【００１３】
化粧パネル（５）は、図５及び図６に示す光透過性樹脂からなるパネル本体（５０）を具え、該光透過性パネル本体（５０）の前面には、図７に示す如く、着信報知窓部（５１）、撮影窓部（５２）及び画像表示窓部（５３）を除く領域に、前面遮光膜（８）が形成されると共に、光透過性パネル本体（５０）の背面には、図８に示す如く、着信報知窓部（５１）、撮影窓部（５２）及び画像表示窓部（５３）を除く領域に、背面遮光膜（７）が形成されている（図９参照）。
【００１４】
更に、化粧パネル（５）には、光透過性パネル本体（５０）と背面遮光膜（７）の間に、図６中にハッチングを施した領域、即ち、着信報知窓部（５１）と撮影窓部（５２）を包囲する領域に拡がる光反射防止膜（６）が形成されている（図９参照）。尚、光反射防止膜（６）は、黒色の塗料を用いた印刷によって容易に形成することが出来る。
【００１５】
上記折り畳み式携帯電話機においては、着信や画像撮影の報知のために着信報知ＬＥＤ（３１）が発光し、その光線が、図９中に矢印で示す如く着信報知窓部（５１）を透過して、前方へ向けて放射される。又、サブディスプレイ（３３）に画像を表示した場合、サブディスプレイ（３３）からの映像光が画像表示窓部（５３）を透過して、前方へ向けて放射される。又、ＣＣＤカメラ（３２）を用いた画像撮影時には、前方からの映像光が着信報知窓部（５１）を透過して、ＣＣＤカメラ（３２）に入射する。
【００１６】
ここで、図９の如く着信報知ＬＥＤ（３１）やサブディスプレイ（３３）から斜め方向に出射された光線は、前面遮光膜（８）にて反射された後、ＣＣＤカメラ（３２）へ向かって進むが、これらの光線の大部分が光反射防止膜（６）へ入射して、光反射防止膜（６）での反射が防止されることになる。
従って、ＣＣＤカメラ（３２）を用いた画像撮影時に、着信報知ＬＥＤ（３１）やサブディスプレイ（３３）からＣＣＤカメラ（３２）へ導かれる光の量は、図１０に示す従来の携帯電話機の場合よりも大幅に減少する。
【００１７】
この結果、本発明に係る折り畳み式携帯電話機によれば、ＣＣＤカメラ（３２）を用いた撮影において、着信報知ＬＥＤ（３１）やサブディスプレイ（３３）からの光の影響を受けない、高画質の映像を得ることが出来る。
又、光反射防止膜（６）は、光透過性パネル本体（５０）と背面遮光膜（７）との間に介在しているので、前面遮光膜（８）には、光反射防止膜（６）の材質や製法に拘わらず、蓋体（２）のケースと同色の色彩或いはその他の自由な色彩を採用して、意匠としての効果を発揮させることが出来る。
【００１８】
尚、本発明の各部構成は上記実施の形態に限らず、特許請求の範囲に記載の技術的範囲内で種々の変形が可能である。例えば、光反射防止膜（６）は、光透過性パネル本体（５０）と前面遮光膜（８）の間に形成し、或いは、光透過性パネル本体（５０）の両面に形成することも可能である。更に、背面遮光膜（７）を光反射防止膜（６）に代えて、背面遮光膜（７）を省略することも可能である。又、ＣＣＤカメラ（３２）に代えてＣＭＯＳカメラを採用することも可能である。更に、発光デバイスとして、画像撮影時に発光するフラッシュを配備した構成も採用可能である。
また本発明は、折り畳み式携帯電話機に限らず、カメラと種々の発光デバイスとを同一面上に並設した種々の携帯型通信端末機に実施することが可能である。
【図面の簡単な説明】
【図１】本発明に係る折り畳み式携帯電話機の折り畳み状態を示す斜視図である。
【図２】該折り畳み式携帯電話機の開き状態を示す斜視図である。
【図３】蓋体の分解斜視図である
【図４】蓋体の断面図である。
【図５】化粧パネルの断面図である。
【図６】化粧パネルの平面図である。
【図７】化粧パネルを前面側から見た斜視図である。
【図８】化粧パネルを背面側から見た斜視図である。
【図９】本発明に係る折り畳み式携帯電話機における化粧パネル内の光線の進路を説明する図である。
【図１０】従来の携帯電話機における化粧パネル内の光線の進路を説明する図である。
【符号の説明】
（１）　本体
（１１）　操作キー
（２）　蓋体
（２１）　メインディスプレイ
（３）　下半ケース
（４）　上半ケース
（３１）　着信報知ＬＥＤ
（３２）　ＣＣＤカメラ
（３３）　サブディスプレイ
（５）　化粧パネル
（５０）　光透過性パネル本体
（５１）　着信報知窓部
（５２）　撮影窓部
（５３）　画像表示窓部
（６）　光反射防止膜
（７）　背面遮光膜
（８）　前面遮光膜
【図１】
2004129081.tif 000003
【図２】
2004129081.tif 000004
【図３】
2004129081.tif 000005
【図４】
2004129081.tif 000006
【図５】
2004129081.tif 000007
【図６】
2004129081.tif 000008
【図７】
2004129081.tif 000009
【図８】
2004129081.tif 000010
【図９】
2004129081.tif 000011
【図１０】
2004129081.tif 000012